(57)【要約】【課題】入浴者の体格に合わせてより簡単に浴槽の大きさを可変にすることを可能とする浴槽を提供することであり、これにより介護者の負担をお軽減することの出来る浴槽を提供すること。【解決手段】浴槽の対向する内壁面の上部に浴槽の上端縁に沿って所要の間隔で上掛止孔を設け、底部の近傍に前記上掛止孔に対応する下掛止孔を設けるとともに、前記上下掛止孔のそれぞれに係合する進退自在の固定金具（ラッチ）を有する浴槽を区画する仕切り板を設けたものである。  【選択図】  図３
0003114107.tif 000002
【実用新案登録請求の範囲】
【請求項１】
浴槽の対向する内壁面の上部に浴槽の上端縁に沿って所要の間隔で上掛止孔を設け、底部の近傍に前記上掛止孔に対応する下掛止孔を設けるとともに、前記上下掛止孔のそれぞれに係合する進退自在の固定金具を有する浴槽を区画する仕切り板を設けたことを特徴とする浴槽。
【請求項２】
請求項１記載の浴槽において、合成樹脂製の仕切り板に小孔を開設し、その外周縁を金属製の型枠により補強したことを特徴とする浴槽。
【考案の詳細な説明】
【技術分野】
【０００１】
本考案は、浴槽に関するもので、より詳しくは、浴槽を区画しうる仕切り板を着脱自在に備えた浴槽に関するものである。
【背景技術】
【０００２】
高齢化社会の到来にともなって、中・長期滞在型の介護サービス、デイケアサービス、訪問サービス等々種々の介護サービスの充実が図られているが、これらの介護サービスを提供する介護施設にあっては、介護の一環として実施される入浴のために、入浴設備として多人数が同時に入浴する大型浴槽、単独あるいは少人数で入浴する小型浴槽の設備が設置されている。
【０００３】
かかる施設にあっては、体力の低下し、歩行機能に問題を有する高齢者である要介護者を入浴させるために、浴室内における転倒を防止する歩行の介助、浴槽への出入りの介助、身体の清拭の作業の介助等々の入浴に伴って介護者の支援を必要とする。また、要介護者の入浴時にあって、浴槽が広いために浴槽内において身体を支持する構造物が無いことから、溺れる虞があることから、かかる事故を防止するために一般的に複数（おおむね、要介護者１名に対して２名）の介護者の介助を必要としている。
【０００４】
このような入浴時において、浴槽と入浴者との関係、言い換えれば、要介護者の体格に適合した大きさの浴槽が望まれるが、このために浴槽内に仕切り板を設けて、浴槽の大きさを可変とした浴槽が提案されている。即ち、浴槽の対抗する内壁面に、垂直方向に延在する複数の装着溝を設け、この装着溝に仕切り板を嵌合するようになし、適宜の大きさに浴槽を区画するものである。
【０００５】
しかしながら、かかる浴槽にあっては、浴槽の内壁面に溝を形成することから、浴槽をコンクリート構造、合成樹脂、あるいは、金属製の何れの構造で製作するに際しても、その溝の成形のため浴槽の加工が複雑なものとなり、また、仕切り板を溝に装着する作業にさいして仕切り板を持ち上げて溝に装着する必要があることから手数を要し、加えて、前記装着溝に湯（水）が残留し、あるいは、該部分に湯垢、毛髪等の汚物が堆積し、あるいは、雑菌の繁殖するおそれを有し、浴槽を清潔に保つための定期的な浴槽の清掃作業において当該部分の洗浄作業を煩雑なものとする。
【特許文献１】実開平１−１１２７９３号公報
【考案の開示】
【考案が解決しようとする課題】
【０００６】
本考案は前述の諸点に鑑みなされたもので、入浴者の体格に合わせてより簡単に浴槽の大きさを可変にすることを可能とする浴槽を提供することであり、これにより介護者の負担をお軽減することの出来る浴槽を提供することである。
【課題を解決するための手段】
【０００７】
前述する課題を解決するための本考案にかかる浴槽の構成は、浴槽の対向する内壁面の上部に浴槽の上端縁に沿って所要の間隔で上掛止孔を設け、底部の近傍に前記上掛止孔に対応する下掛止孔を設けるとともに、前記上下掛止孔のそれぞれに係合する進退自在の固定金具（ラッチ）を有する浴槽を区画する仕切り板を設けた点に存するものである。
【考案の効果】
【０００８】
本考案によれば、浴槽の内壁面に掛止孔を設ける一方、仕切り板に固定金具（ラッチ）を取り付けることにより、浴槽の構造も簡単なものとなり、浴槽の内面に溝のような凹部が無いことから浴槽の清掃も簡単になしうるものであり、また、入浴する要介護者の体格に合わせた浴槽の大きさに切り替えに際しても、固定金具（ラッチ）の係合によって簡単に仕切り板を移動せしめることが可能となり、作業を簡便になしうることから介護者の負担を軽減できる当の効果を有するものである。
【実施例】
【０００９】
以下、図示の実施例に基づいて本考案にかかる浴槽について説明する。１は浴槽であって、その側壁２ａの内面の上端縁から適宜の寸法だけ下った位置に上端縁と平行な水平面内に所定の間隔で複数の上掛止孔３が設けられ、前記上掛止孔３に対応し、垂直下方位置に複数の下掛止孔４が設けられ、また、前記側壁２ａと対向する側壁２ｂにおいても、前記上掛止孔３、下掛止孔４に対応する上掛止孔３ａ、下掛止孔４ａが設けられている。
【００１０】
浴槽１に装着する仕切り板５は図３に示すように、塩化ビニール等の合成樹脂製の平板であり、軽量化を目的として小孔６を穿設してなり、さらに、その外周縁を金属製の型枠７により補強を施している。この仕切り板５は、前記浴槽１に装着したときに適合する幅と高さとを有するものであり、また、その上部には取扱いの利便性を考慮して取手８が固定されている。
【００１１】
さらに、前記仕切り板５にあっては、この仕切り板５を浴槽１に取り付けるために、前記上掛止孔３、３ａ、下掛止孔４、４ａに対応する上下位置、および、左右位置に固定金具（ラッチ）９が固設されてなり、固定金具９は種々の形式のものを採用しうるものであって、図示の実施例にあっては、上掛止孔３ａ、下掛止孔４ａに嵌合する金属製のロッド１０が保持金具により進退自在で、かつ、回動可能とされ、手動によって上掛止孔３ａ、下掛止孔４ａとの係合、解除をなすものである。
【００１２】
前記固定金具９は、図４にその概略を図示するように、ロッド１０はその後端部分において操作時の摘みとなるループ部１０ａが形成され、固定金具９における取付け座９ａに形成された装着穴９ｂに回動、かつ、進退自在に装着されている。なお、固定金具９の構成として図示の例に限定されるものではなく、その図示を省略したが、ロッド１０をバネによって自動復帰せしめる形式の従来公知のラッチを採用することが可能で、介護浴槽として、介護者の負担を軽減する上でかかる構造を採用するのが望ましい。
図示の実施例においては、浴槽として設置される給水口、および、排水口について、その図示を省略している。
【００１３】
前述の構成を有する浴槽１において、仕切り板５に取り付けて取手８を使用して浴槽１内に持ち込み、必要とする浴槽寸法の大きさとなるように仕切り板５に固定したそれぞれの固定金具９が所定の上掛止孔３、３ａ、下掛止孔４、４ａに合致する位置にセットする。しかる後、上下、左右位置に設けられた固定金具９のロッド１０を回動し、前進せしめ、該ロッド１０を上掛止孔３、３ａ、下掛止孔４、４ａのそれぞれに嵌合することによって仕切り板５を浴槽１の側壁２ａ，２ｂに固定する。
【００１４】
また、浴槽１の大きさを変更する場合には、固定金具９のロッド１０を後進させ、上掛止孔３、３ａ、下掛止孔４、４ａとの係合関係を解除し、所定の大きさとなる位置まで仕切り板５を移動させ、前述すると同様の操作により仕切り板５を側壁２ａ、２ｂに固定する。
【００１５】
これからも明らかなように、入浴者（要介護者）の体格に合わせて浴槽の寸法を変更するに際して、固定金具（ラッチ）の係合、解除によって仕切り板５の固定、移設を簡単になしうることとなり、操作が簡単に行え、また、仕切り板に塩化ビニール樹脂を使用することによって軽量化が図られ、介護者の負担を軽減できる。
【図面の簡単な説明】
【００１６】
【図１】本考案にかかる浴槽の断正面図
【図２】本考案にかかる浴槽のＡ−Ａ線断面図
【図３】本考案にかかる浴槽に使用する仕切り板の正面図
【図４】固定金具の拡大説明図
【符号の説明】
【００１７】
１：浴槽
２ａ、２ｂ：側壁
３、３ａ：上掛止孔
４、４ａ：下掛止孔
５：仕切り板
６：小孔
７：型枠
８：取手
９：固定金具（ラッチ）
１０:ロッド
【図１】
0003114107.tif 000003
【図２】
0003114107.tif 000004
【図３】
0003114107.tif 000005
【図４】
0003114107.tif 000006